(57)【特許請求の範囲】
【請求項１】
前側に開口した箱状をなし、外側周りを流通する冷気により内部が冷却される貯蔵室における天井面に対し、所定の間隔を保ちつつ向かい合う形で前記貯蔵室の内部に配され、前側から後側に向かって下るように傾斜する板状をなし、前記天井面と対向する上面及びその反対側の下面に付着した結露水を後側に案内し、一部が前記下面から露出する固定部を利用して前記天井面に固定される貯蔵庫用の結露水案内板であって、
前記下面には、前記固定部の前側から前記固定部に向かう結露水を前記固定部から離すための案内部が設けられていることを特徴とする結露水案内板。
【請求項２】
前記案内部は、前記固定部よりも前側に離れた位置において、前記固定部と前後方向で重なり、かつ前側から後側に亘って前記固定部から離されている請求項１に記載の結露水案内板。
【請求項３】
前記案内部は、前記下面側から前記上面側に窪んだ凹溝からなる請求項１又は請求項２に記載の結露水案内板。
【請求項４】
前記案内部は、前記下面から下方に盛り上がった凸部からなる請求項１又は請求項２に記載の結露水案内板。
【請求項５】
前記案内部は、メッシュ状に加工されたメッシュ部からなる請求項１又は請求項２に記載の結露水案内板。
【請求項６】
請求項１〜請求項５の何れか一項に記載の結露水案内板を備える貯蔵庫。
【発明の詳細な説明】
【技術分野】
【０００１】
本発明は、結露水案内板及び貯蔵庫に関する。
【背景技術】
【０００２】
生鮮食品を乾燥させずに長期に亘って保存できる貯蔵庫として、恒温高湿庫が知られている（例えば、特許文献１，２）。この種の恒温高湿庫は、前側に開口した断熱箱体からなる本体と、その本体内に配設される前側に開口した熱良導性の箱体からなる貯蔵室と、冷気を供給する冷気供給装置を備えている。
【０００３】
本体と貯蔵室との間には貯蔵室の周りを囲むような空間が設けられており、その空間が、冷気供給装置より供給される冷気を流通させる冷気通路として利用されている。恒温高湿庫では、いわゆる間接冷却方式が採用されており、冷気通路を流通する冷気が貯蔵室の壁面を冷却することで、貯蔵室内が間接的に冷却される。
【０００４】
この種の恒温高湿庫では、貯蔵室の壁面と、貯蔵室内の空気との温度差が大きいと、貯蔵室内の空気が露点温度以下に冷やされて、その空気中の水分が貯蔵室の壁面で結露することがある。例えば、貯蔵室内の天井面に付着した水滴は、落下して貯蔵室内の収容物に当たり、収容物を汚す虞がある。そのため、特許文献１，２に示されるように、貯蔵室内において、天井面に対して間隔を保ちつつ天井面を覆うように結露水案内板が取り付けられている。
【０００５】
結露水案内板は、前側から後側に向かって下るように傾斜した状態で貯蔵室内に設置されているため、天井面から落下した水滴が、結露水案内板の上面で受けられると、水滴は、自重で貯蔵室の後側に流れるように移動する。
【０００６】
ところで、貯蔵室内の水分は、結露水案内板の下面でも結露する。そのため、下面に付着した結露水は、結露水案内板の傾斜に従いつつ下面を伝って貯蔵室の後側へ移動することになる。
【先行技術文献】
【特許文献】
【０００７】
【特許文献１】特開平４−２２７４５３号公報
【特許文献２】特開平４−２５１１８０号公報
【発明の概要】
【発明が解決しようとする課題】
【０００８】
貯蔵室内において、結露水案内板は、リベット等の固定部を利用して天井面に取り外し可能な状態で取り付けられている。その際、結露水案内板の下面からは、固定部の端部（例えば、リベットの頭部）が突き出した状態で露出することになる。
【０００９】
このように、固定部の端部が結露水案内板の下面から露出していると、結露水案内板の下面を伝って移動する水滴が、前記端部に突き当り、前記端部に集まってしまうことがあった。そのように集まった水滴は、最終的には大きな滴となって前記端部から貯蔵室内へ落下するため、衛生管理上の問題等が発生する虞があった。
【００１０】
また、固定部の端部に付着した水滴が固定部を介して冷やされ、前記端部で氷結してしまうことがあった。水滴が前記端部で氷結すると、結露水案内板の取り外し時に、固定部を天井面から取り外す等の操作を行えない等の問題があった。
【００１１】
本発明の目的は、貯蔵庫における貯蔵室の天井面に固定される結露水案内板の下面を伝って移動する水滴が、結露水案内板の固定部に集まることを抑制する技術を提供することである。
【課題を解決するための手段】
【００１２】
本発明に係る結露水案内板は、前側に開口した箱状をなし、外側周りを流通する冷気により内部が冷却される貯蔵室における天井面に対し、所定の間隔を保ちつつ向かい合う形で前記貯蔵室の内部に配され、前側から後側に向かって下るように傾斜する板状をなし、前記天井面と対向する上面及びその反対側の下面に付着した結露水を後側に案内し、一部が前記下面から露出する固定部を利用して前記天井面に固定される貯蔵庫用の結露水案内板であって、前記下面には、前側から前記固定部に向かう前記下面に付着した結露水を前記固定部から離すための案内部が設けられていることを特徴とする。
【００１３】
前記結露水案内板において、前記案内部は、前記固定部よりも前側に離れた位置において、前記固定部と前後方向で重なり、かつ前側から後側に亘って前記固定部から離されているものであってもよい。
【００１４】
前記結露水案内板において、前記下面側から前記上面側に窪んだ凹溝からなるものであってもよい。
【００１５】
前記結露水案内板において、前記案内部は、前記下面から下方に盛り上がった凸部からなるものであってもよい。
【００１６】
前記結露水案内板において、前記案内部は、メッシュ状に加工されたメッシュ部からなるものであってもよい。
【００１７】
また、本発明に係る貯蔵庫は、前記結露水案内板を備える。
【発明の効果】
【００１８】
本発明によれば、貯蔵庫における貯蔵室の天井面に固定される結露水案内板の下面を伝って移動する水滴が、結露水案内板の固定部分に集まることを抑制する技術を提供することができる。
【図面の簡単な説明】
【００１９】
【図１】本発明の実施形態１に係る恒温高湿庫の側断面図
【図２】恒温高湿庫の庫内を冷却する冷気供給装置の構成を模式的に表した説明図
【図３】下面側から見た結露水案内板の平面図
【図４】結露水案内板の右側面図
【図５】図３に示される案内部付近の拡大平面図
【図６】図５のＡ−Ａ線断面図
【図７】実施形態２に係る結露水案内板の案内部付近の断面図
【図８】実施形態３に係る結露水案内板の案内部付近の断面図
【図９】実施形態４に係る結露水案内板の案内部付近の拡大平面図
【発明を実施するための形態】
【００２０】
＜実施形態１＞
以下、本発明の実施形態１を図１〜図６を参照しつつ説明する。本実施形態では、結露水案内板６を備えるテーブル型の恒温高湿庫（貯蔵庫の一例）１について説明する。
【００２１】
図１は、本発明の実施形態１に係る恒温高湿庫１の側断面図であり、図２は、恒温高湿庫１の庫内を冷却する冷気供給装置５の構成を模式的に表した説明図である。
【００２２】
恒温高湿庫１は、正面側（前側）に開口した断熱箱体からなり、上面２Ａをテーブル面として利用可能な本体部２を備えている。本体部２は、正面側（前側）に開口した外箱２１と、外箱２１と同じように正面側（前側）に開口しつつ、外箱２１との間に所定の間隔を保ちつつ外箱２１内に収納される形で組み付けられる内箱２２と、外箱２１と内箱２２との間にある間隔を充填する発泡ウレタン等の断熱材２３とを備えている。なお、本体部２は、底面２Ｂの四隅に配された複数の脚３によって支持される。
【００２３】
本体部２の内部（内箱２２の内部）には、本体部２と同じように正面側（前側）に開口した箱体からなる貯蔵室４が、本体部２との間に間隔を保ちつつ本体部２内に収納される形で組み付けられている。貯蔵室４は、ステンレス等の熱良導性金属板が箱状に加工されたものからなり、上方に配される天井部４１と、下方に配される床部４２と、後方に配される背面部４３と、左右方向に配される２つの側面部４４，４４とを備えている。貯蔵室４の内側に形成される空間Ｒ１は、生鮮食品等の保存対象物を収容するために利用される。
【００２４】
本体部２の前側には、出入口として利用される開口部２４があり、その開口部２４を開放及び閉塞するための断熱扉Ｄが、ヒンジ（不図示）を介して左右方向に回動する形で取り付けられている。なお、貯蔵室４の開口部４５は、本体部２の開口部２４よりも奥側（後側）に配されつつ、本体部２の内壁（内箱２２）に密着している。
【００２５】
また、貯蔵室４と本体部２との間に形成される空間Ｒ２は、恒温高湿庫１が備える冷気供給装置５より供給される冷気を流通させるための冷気流通路Ｒ２として利用される。
【００２６】
冷気供給装置５は、恒温高湿庫１を正面から見て、貯蔵室４の左側に隣接する形で配設されている。なお、図２には、正面から見た本体部２及び貯蔵室４の模式的な断面構成が示されている。そして更に図２には、それらの左側に、冷気供給装置５の構成が模式的に示されている。冷気流通路Ｒ２は、主として、貯蔵室４を正面から見た際に、貯蔵室４の周りを取り囲むように形成されている。また、冷気流通路Ｒ２は、図１に示されるように、貯蔵室４の背面部４３と、本体部２の背面側の壁との間にも形成されている。
【００２７】
冷気供給装置５は、図２に示されるように、箱状の本体部２の左側壁の内面に配設した冷却器として機能する蒸発器５１と、本体部２外に配設されつつ、蒸発器５１に接続されて蒸発器５１と共に冷凍回路を構成する圧縮機５２と、凝縮器５３と、ドライヤ５４と、減圧手段としてのキャピラリーチューブ５５及びホットガス弁５６と、凝縮器５３を空冷する電動ファン５７と、本体部２内に組み付けられて蒸発器５１を覆うカバー５８と、カバー５８の上方に設けた開口部に配設された電動送風ファン５９とを備えている。
【００２８】
冷気供給装置５が作動すると、電動送風ファン５９によって蒸発器５１を通過した冷気は、図２中の矢印で示されるように、主として、貯蔵室４の天井部４１の外壁面に沿って流れたのち、右側の側面部４４の外壁面又は背面部４３の外壁面に沿って下降する。そして更に、冷気は、床部４２の外壁面に沿って流れることで、左側の側壁部４４の外壁面側に配される蒸発器５１へ戻される。
【００２９】
このようにして冷気供給装置５により、冷気が冷気流通路Ｒ２を循環し、その循環する冷気を利用して、貯蔵室４の壁面が冷却される。そして、貯蔵室４の内部（空間Ｒ１）は、壁面から間接的に冷却される。
【００３０】
このような間接冷却方式の恒温高湿庫１において、貯蔵室４の天井部４１を内壁面（天井面）側から覆う形で、結露水案内板６が天井部４１に取り付けられている。結露水案内板６は、天井部４１の内壁面（天井面）に付着した結露水が落下した際に、その水滴を、上面６１側で受けると共に、その水滴が貯蔵室４の前側から後側に伝わせて案内する機能を備えている。
【００３１】
なお、貯蔵室４の天井部４１は、図１に示されるように、貯蔵室４の前側から後側（背面側）に向って、緩やかに下るような形で傾斜している。そして、結露水案内板６は、天井部４１との間に隙間Ｒ３を形成しながら、天井部４１と同じように、貯蔵室４の前側から後側（背面側）に向って緩やかに下るような形で傾斜している。
【００３２】
図３は、下面６２側から見た結露水案内板６の平面図であり、図４は、結露水案内板６の右側面図である。結露水案内板６は、例えば、ステンレス等の金属製板材を加工したものからなり、図３及び図４に示されるように、全体的には、概ね平坦な板状をなしている。なお、図３の上側が、恒温高湿庫１の前側に対応し、その下側が恒温高湿庫１の後側に対応する。また、図４の上側が、恒温高湿庫１の上側に対応し、その下側が恒温高湿庫１の下側に対応する。
【００３３】
結露水案内板６は、天井部４１を覆うように、貯蔵庫４の前側から後側（背面側）に向って延びた平面視略矩形状の案内板本体部６３と、案内板本体部６３（結露水案内板６）を天井部４１に取り付ける際に利用される案内板本体部６３を貫通する形で設けられた取付孔６４と、案内板本体部６３（結露水案内板６）の下面（内壁面）６２側に設けられる結露水の移動方向を案内するための案内部６５とを備えている。
【００３４】
結露水案内板６は、メインテナンス等の目的で、適宜、天井部４１から取り外せるように、リベット（固定部の一例）７を利用して天井部４１に取り付けられている。リベット７は、案内板本体部６３（結露水案内板６）の前側寄りの位置に設けられた取付孔６４を貫通しつつ、先端が天井部４１に挿し込まれた状態で、結露水案内板６（案内板本体部６３）を保持する。リベット７の後端は、結露水案内板６の下面６２から下方に向かって突出した状態で露出している。
【００３５】
リベット７は、図１に示されるように、天井部４１のうち、貯蔵室４の前面側寄りの部分に取り付けられる。なお、結露水案内板６の後端は、貯蔵室４の背面部４３に取り付けられているブラケット（不図示）に載せられている。
【００３６】
案内部６５は、固定部７（取付孔６４）の前側から固定部７（取付孔６４）側に向って下面６２を伝いつつ移動する結露水を案内して、その結露水を固定部７（取付孔６４）から離す機能を備えている。
【００３７】
図５は、図３に示される案内部６５付近の拡大平面図であり、図６は、図５のＡ−Ａ線断面図である。案内部６５は、下面６２側から上面６１側に窪んだ凹溝からなる。案内部６５は、内側に凹溝が形成されるように下面６２側から上面６１側に向って膨らむように盛り上がった形となっている。
【００３８】
また、案内部６５は、固定部７（取付孔６４）よりも前側に離れた位置において、固定部７（取付孔６４）と前後方向で重なり、かつ前側から後側に亘って固定部７（取付孔６４）から離された形をなしている。
【００３９】
案内部６５は、固定部７（取付孔６４）の前側を斜めに横切る直線的な長手状の凹溝からなる。案内部６５の前端６５ａは、前後方向において、固定部７（取付孔６４）よりも前側の位置であり、かつ左右方向において、固定部７（取付孔６４）よりも左側の位置に配されている。また、案内部６５の後端６５ｂは、前後方向において、固定部７（取付孔６４）と同じ位置又は後側の位置であり、かつ左右方向において、固定部７（取付孔６４）よりも右側の位置に配されている。
【００４０】
固定部７（取付孔６４）の前側の下面６２に付着した水滴（結露水）８が、固定部７（取付孔６４）側に向って移動すると（図５の矢印８１参照）、その水滴８は、案内部６５に到達する。案内部６５に到達した水滴８は、そのまま固定部７（取付孔６４）側に向って進むことなく、案内部６５の形状（特に、前側の縁部６５ｃや後側の縁部６５ｄ等の縁部）に沿って進むことにより、固定部７（取付孔６４）を通り過ぎる（図５の矢印８２参照）。案内部６５の後端６５ｂに達した水滴８は、固定部７（取付孔６４）から離された状態で、前側から後側に向うように下面６２を伝いながら移動することになる。
【００４１】
その後、水滴８が結露水案内板６（案内板本体部６３）の後端まで到達すると、その水滴８は、背面部４３に移って背面部４３を伝いながら下方に移動する等して、貯蔵室４の床部４２に到達し、最終的に、貯蔵室４の床部４２に設けられた排水パイプ（不図示）を介して庫外に排出される。
【００４２】
以上のように、本実施形態によれば、恒温高湿庫（貯蔵庫）１における貯蔵室４の天井部４１の下面（天井面）に固定される結露水案内板６の下面６２を伝って移動する水滴（結露水）が、結露水案内板の下面６２から露出する固定部７の一部に集まることが抑制される。
【００４３】
＜実施形態２＞
次いで、本発明の実施形態２に係る結露水案内板６Ａについて、図７を参照しつつ説明する。図７は、実施形態２に係る結露水案内板６Ａの案内部６５Ａ付近の断面図である。本実施形態の結露水案内板６Ａは、案内板本体部６３Ａの下面６２Ａに、凹溝状の案内部６５Ａが実施形態１の案内部６５と同じ位置に、設けられている。この案内部６５Ａは、案内板本体部６３Ａの厚みを薄くするように、下面６２Ａ側を凹溝状に削ることで設けられたものである。そのため、案内板本体部６３Ａの上面６１Ａには、実施形態１のような膨らみが形成されていない。本発明では、結露水案内板６Ａの案内部６５Ａとして、このような凹溝状のものを用いてもよい。
【００４４】
なお、実施形態１の案内部６５は、案内板本体部６３の厚みに関係なく、所定の深さの凹溝を用いることができるため、そのような観点からは、施形態１の案内部６５の方が、実施形態２の案内部６５Ａよりも、好ましいと言える。
【００４５】
＜実施形態３＞
次いで、本発明の実施形態３に係る結露水案内板６Ｂについて、図８を参照しつつ説明する。図８は、実施形態３に係る結露水案内板６Ｂの案内部６５Ｂ付近の断面図である。本実施形態の結露水案内板６Ｂは、実施形態１の案内部６５と同じ位置に、案内板本体部６３Ｂの下面６２Ｂから下方に盛り上がった長手状の凸部からなる案内部６５Ｂが設けられている。なお、結露水案内板６Ｂの上面６１Ｂには、案内部６５Ｂに対応する位置に、凹溝状の窪みが形成されている。下面６２Ｂに付着した結露水が前側から後側に移動して案内部６５Ｂに到達すると、長手状の凸部に沿ってリベット等の固定部７から離れて、結露水案内板６Ｂの前側から後側へ移動することになる。
【００４６】
なお、凸部の下面６２Ｂからの高さは、下面６２Ｂから突出する形で露出する固定部７の一部よりも、低い方が好ましい。下面６２Ｂからの高さが高くなり過ぎると、案内部６５Ｂにおいて、結露水が集まって落下する等の問題が生じる場合がある。本発明では、結露水案内板６Ｂの案内部６５Ｂとして、このような凸部からなるものを用いてもよい。
【００４７】
＜実施形態４＞
次いで、本発明の実施形態４に係る結露水案内板６Ｃについて、図９を参照しつつ説明する。図９は、実施形態４に係る結露水案内板６Ｃの案内部６５Ｃ付近の拡大平面図である。本実施形態の結露水案内板６Ｃは、案内板本体部６３Ｃの下面６２Ｃに、実施形態１の案内部６５と同じ位置に、メッシュ状（網目状）に加工されたメッシュ部（金網）からなる案内部６５Ｃが形成されている。下面６２Ｃに付着した結露水が前側から後側に移動して案内部６５Ｃに到達すると、案内部６５Ｃに沿って移動し、リベット等の固定部７から離れて固定部７（取付孔６４Ｃ）を通り過ぎる。本発明では、結露水案内板６Ｃの案内部６５Ｃとして、このようなメッシュ部からなるものを用いてもよい。
【００４８】
＜水案内性能の評価＞
上記実施形態１〜４の各結露水案内板６，６Ａ，６Ｂ，６Ｃについて、水案内性能の評価試験を行った。評価試験の内容は以下の通りである。先ず、実施形態１に示されるように、貯蔵室内の上方の正規位置に結露水案内板を配設し、その結露水案内板（案内板本体部）の下面のうち、案内部の前側に水滴を付着させた。その後、結露水案内板（案内板本体部）の下面及び案内部を伝って移動する水滴を目視で観察し、案内部の水案内性能の評価を行った。水案内性能は、水滴が案内部を伝ってスムーズに案内部の後側に移動するか否か、及び水滴が案内部から落下したか否か等によって判断した。
【００４９】
評価の結果、実施形態４の案内部６５Ｃが、最も水案内性能に優れることが確かめられた。また、実施形態１の案内部６５と、実施形態３の案内部６５Ｂとを比べた場合、実施形態１の案内部６５の方が水案内性能に優れること（水滴を落下させずにスムーズに後側に移動させること）が確かめられた。
【００５０】
なお、コスト的な観点からは、実施形態１の案内部６５及び実施形態３の案内部６５Ｂが他の案内部よりも好ましい。
【００５１】
＜他の実施形態＞
本発明は上記記述及び図面によって説明した実施形態に限定されるものではなく、例えば次のような実施形態も本発明の技術的範囲に含まれる。
【００５２】
（１）上記各実施形態では、結露水案内板を天井部に固定する固定部としてリベットを利用したが、本発明はこれに限られず、リベット以外の固定部を利用してもよい。
【００５３】
（２）貯蔵室の天井部に取り付けられる結露水案内板は、１枚のみであってもよいし、２枚以上であってもよい。
【００５４】
（３）他の実施形態においては、一次冷却されたブライン（不凍液）の冷熱を介して貯蔵室が二次冷却される構成の貯蔵庫であってもよい。
【００５５】
（４）上記各実施形態では、案内部は、直線状をなしていたが、本発明の目的を損なわない限り、曲線状等の他の形状であってもよい。
【００５６】
（５）他の実施形態においては、案内部として、案内板本体部を厚み方向に貫通する孔部を利用してもよい。例えば、実施形態１の案内部６５を縁取るように、案内板本体部を刳り抜いて形成される貫通状の孔部を、案内部として用いてもよい。
【符号の説明】
【００５７】
１…恒温高湿庫（貯蔵庫）、２…本体部、３…脚、４…貯蔵室、５…冷気供給装置、６…結露水案内板、６１…上面、６２…下面、６４…取付孔、６５…案内部、７…固定部、８…水滴（結露水）
【図１】
0006442313.tif 000002
【図２】
0006442313.tif 000003
【図３】
0006442313.tif 000004
【図４】
0006442313.tif 000005
【図５】
0006442313.tif 000006
【図６】
0006442313.tif 000007
【図７】
0006442313.tif 000008
【図８】
0006442313.tif 000009
【図９】
0006442313.tif 000010